(57)【特許請求の範囲】
【請求項１】
太鼓部が経糸を所望本数飛びに使用して縦絽組織に織成されていると共に腹部が全部の経糸を使用して横絽組織に織成されていることを特徴とする帯。
【請求項２】
太鼓部が全部の経糸を使用して横絽組織に織成されていると共に腹部が経糸を所望本数飛びに使用して縦絽組織に織成されていることを特徴とする帯。
【請求項３】
紗組織の模様が織成されている請求項１又は２記載の帯。
【請求項４】
縫取り緯糸入り組織の模様が織成されている請求項１乃至３のいずれかに記載の帯。
【請求項５】
太鼓部絽組織の絽目方向と腹部絽組織の絽目方向とが直行する方向となるように太鼓部となる部位を経糸を所望本数飛びに使用して縦絽組織に織成すると共に腹部となる部位を全部の経糸を使用して横絽組織に織成することを特徴とする帯の製織法。
【請求項６】
太鼓部絽組織の絽目方向と腹部絽組織の絽目方向とが直行する方向となるように太鼓部となる部位を全部の経糸を使用して横絽組織に織成すると共に腹部となる部位を経糸を所望本数飛びに使用して縦絽組織に織成することを特徴とする帯の製織法。
【請求項７】
太鼓部絽組織の絽目方向と腹部絽組織の絽目方向とが直行する方向となるように太鼓部となる部位を経糸を所望本数飛びに使用して縦絽組織に織成すると共に腹部となる部位を全部の経糸を使用して横絽組織に織成して前記縦絽組織に織成された太鼓部となる部位における使用しなかった経糸を横絽組織の手前にて切断することを特徴とする帯の製織法。
【請求項８】
太鼓部絽組織の絽目方向と腹部絽組織の絽目方向とが直行する方向となるように太鼓部となる部位を全部の経糸を使用して横絽組織に織成すると共に腹部となる部位を経糸を所望本数飛びに使用して縦絽組織に織成して該縦絽組織に織成された腹部となる部位における使用しなかった経糸を横絽組織の手前にて切断することを特徴とする帯の製織法。
【請求項９】
紗組織の模様が織成されている請求項５乃至８のいずれかに記載の帯の製織法。
【請求項１０】
縫取り緯糸入り組織の模様が織成されている請求項５乃至９のいずれかに記載の帯の製織法。
【発明の詳細な説明】
【０００１】
【発明の属する技術分野】
本発明は、太鼓部と腹部とのいずれか一方が縦絽組織に織成され、他方が横絽組織に織成されてなる帯及び該帯の製織法に関するものである。
【０００２】
【従来の技術】
周知の通り、夏もの帯として縦絽組織または横絽組織で織成された帯が汎用されている。
【０００３】
【発明が解決しようとする課題】
縦絽組織または横絽組織で織成された従来の夏もの帯は絽目が一方向に走っているので、帯を着用した際に太鼓部における絽組織の絽目方向と腹部における絽組織の絽目方向とが同一方向にならないという問題点があった。
【０００４】
そこで、本発明は、絽組織に織成された帯を着用した際に太鼓部における絽組織の絽目方向と腹部における絽組織の絽目方向とが同一方向になる帯を提供することを技術的課題として、その具現化をはかるべく研究・実験を重ねた結果、経糸を所望本数飛びに使用して縦絽組織を織成すると共に全部の経糸を使用して横絽組織を織成すれば、一つの帯に縦絽組織と横絽組織とを連続して織成することができるという刮目すべき知見を得、前記技術的課題を達成したものである。
【０００５】
【課題を解決するための手段】
前記技術的課題は、次の通りの本発明によって解決できる。
【０００６】
即ち、本発明に係る帯は、太鼓部が経糸を所望本数飛びに使用して縦絽組織に織成されていると共に腹部が全部の経糸を使用して横絽組織に織成されているものである。
【０００７】
また、本発明に係る帯は、太鼓部が全部の経糸を使用して横絽組織に織成されていると共に腹部が経糸を所望本数飛びに使用して縦絽組織に織成されているものである。
【０００８】
また、本発明に係る帯の製織法は、太鼓部絽組織の絽目方向と腹部絽組織の絽目方向とが直行する方向となるように太鼓部となる部位を経糸を所望本数飛びに使用して縦絽組織に織成すると共に腹部となる部位を全部の経糸を使用して横絽組織に織成するものである。
【０００９】
また、本発明に係る帯の製織法は、太鼓部絽組織の絽目方向と腹部絽組織の絽目方向とが直行する方向となるように太鼓部となる部位を全部の経糸を使用して横絽組織に織成すると共に腹部となる部位を経糸を所望本数飛びに使用して縦絽組織に織成するものである。
【００１０】
また、本発明に係る帯の製織法は、太鼓部絽組織の絽目方向と腹部絽組織の絽目方向とが直行する方向となるように太鼓部となる部位を経糸を所望本数飛びに使用して縦絽組織に織成すると共に腹部となる部位を全部の経糸を使用して横絽組織に織成して前記縦絽組織に織成された太鼓部となる部位における使用しなかった経糸を横絽組織の手前にて切断するものである。
【００１１】
また、本発明に係る帯の製織法は、太鼓部絽組織の絽目方向と腹部絽組織の絽目方向とが直行する方向となるように太鼓部となる部位を全部の経糸を使用して横絽組織に織成すると共に腹部となる部位を経糸を所望本数飛びに使用して縦絽組織に織成して該縦絽組織に織成された腹部となる部位における使用しなかった経糸を横絽組織の手前にて切断するものである。
【００１２】
また、本発明は、前記帯或いは帯の製織法において、紗組織の模様が織成されているものである。
【００１３】
さらに、本発明は、前記いずれかの帯或いは帯の製織法において、縫取り緯糸入り組織の模様が織成されているものである。
【００１４】
【発明の実施の形態】
以下、本発明の実施の形態を図面に基づき説明する。
【００１５】
実施の形態１．
【００１６】
図１は本実施の形態に係る帯の平面図、図２は図１に図示した太鼓部と腹部との境界近傍の組織を示す部分拡大平面図、図３は図２に図示した太鼓部の製織法を説明する図であり、図３の（ａ）は縦絽組織に織成された太鼓部織組織を拡大して模型的に示す裏面組織の平面図、図３の（ｂ）は筬を模型的に図示した部分拡大正面図、図４は図２に図示した横絽組織に織成された第一腹部織組織を拡大して模型的に示す裏面組織の平面図、図５は図２に図示した横絽組織に織成された第二腹部織組織を拡大して模型的に示す裏面組織の平面図、図６は本実施の形態に係る帯の織物設計図、図７，図８及び図９は本実施の形態に係る帯を製織する際に使用する紋紙の平面図であり、図７，図８及び図９に図示する紋紙を繋げて一枚の紋紙となる。また、図１０は縦絽組織の紋意匠図に基づき経糸の作動を指示する紋紙のパンチ穴を形成する説明図、図１１は横絽組織の紋意匠図に基づき経糸の作動を指示する紋紙のパンチ穴を形成する説明図、図１２は図１に図示した帯の着用時における外観を示す一部省略斜視図であり、これらの図において、１は帯、２は縦絽組織７（図３参照）に織成された折り返し部、３は縦絽組織７に織成されたたれ先部、４は縦絽組織７に織成された太鼓部、5aは模様入り横絽組織８（図４参照）に織成された第一腹部、5bは模様無しの無地の横絽組織８’（図５参照）に織成された第二腹部、６は模様入り横絽組織８に織成された手先部であり、縦絽組織７は経糸を所望本数飛びに使用して織成され、横絽組織８，８’は全部の経糸を使用して織成されており、図２に示すように、縦絽組織７の織成において使用しなかった経糸は横絽組織８の手前にて切断されて切断端片９となっている。そして、折り返し部２、たれ先部３及び太鼓部４における縦絽組織７の絽目7aは帯１の長手方向に対して平行（図２において左右方向）に、また、第一腹部5aにおける横絽組織８、第二腹部5bにおける横絽組織８’及び手先部６における横絽組織８の絽目8aは帯１の短手方向に対して平行（図２において上下方向）に走っており、縦絽組織７の絽目方向と横絽組織８，８’の絽目方向とは直行する位置関係となっている。
【００１７】
また、図３において、10a 〜10x は経糸、11は縦絽組織７における緯糸、12は筬、13は太鼓部４の平織組織、14は縦絽組織７における縦絽目7aの位置であり、最初の６本の経糸10a 〜10f は筬12の一羽に通され、次の６本の経糸10g 〜10l は筬12の二羽に通され、次の６本の経糸10m 〜20r は筬12の三羽に通され、次の６本の経糸10s 〜10x は筬12の四羽に通されており、以後の経糸においても同様のパターンとなっている。
【００１８】
次に、製織方法について説明する。
【００１９】
図６に示すように、筬一羽に通した経糸10a,10c,10e を紋針 (イ) にて三本交差把吊とし、筬一羽に通した経糸10b,10d,10f を紋針 (ロ) にて三本交差把吊とし、筬二羽に通した経糸10g 〜10l を紋針 (Ａ) にて六本把吊とし、筬三羽に通した経糸10m,10o,10q を紋針 (ハ) にて三本交差把吊とし、筬三羽に通した経糸10n,10p,10r を紋針 (ニ) にて三本交差把吊とし、筬四羽に通した経糸10s 〜10x を紋針 (Ｂ) にて六本把吊とし、以後の筬の羽に通した経糸においても同様のパターンにて以後の紋針 (イ), (ロ), (Ａ), (ハ), (ニ), (Ｂ),…に装着する。また、棒刃を18枚使用して、棒刃 (番号１) に筬一羽に通した経糸10a を、棒刃 (番号２) に筬三羽に通した経糸10m を、棒刃 (番号３) に筬一羽に通した経糸10b を、棒刃 (番号４) に筬三羽に通した経糸10n を、棒刃 (番号５) に筬一羽に通した経糸10c を、棒刃 (番号６) に筬三羽に通した経糸10o を、棒刃 (番号７) に筬一羽に通した経糸10d を、棒刃 (番号８) に筬三羽に通した経糸10p を、棒刃 (番号９) に筬一羽に通した経糸10e を、棒刃 (番号10) に筬三羽に通した経糸10q を、棒刃 (番号11) に筬一羽に通した経糸10f を、棒刃 (番号12) に筬三羽に通した経糸10r を、棒刃 (番号13) に筬二羽に通した経糸10g と筬四羽に通した経糸10s を、棒刃 (番号14) に筬二羽に通した経糸10h と筬四羽に通した経糸10t を、棒刃 (番号15) に筬二羽に通した経糸10i と筬四羽に通した経糸10u を、棒刃 (番号16) に筬二羽に通した経糸10j と筬四羽に通した経糸10v を、棒刃 (番号17) に筬二羽に通した経糸10k と筬四羽に通した経糸10w を、棒刃 (番号18) に筬二羽に通した経糸10l と筬四羽に通した経糸10x を装着し、以後の筬の羽に通した経糸においても同様のパターンにて前記棒刃 (番号１) 〜 (番号18) に装着する。さらに、６の倍数番目の経糸10f,10l,10r,10x をそれぞれ各紋フルエ針 (い), (ろ), (は), (に) に装着すると共に、以後の経糸に対しても同じパターンにて以後の紋フルエ針 (い), (ろ), (は), (に),…に装着して紋フルエ一本把吊とする。なお、伏せを12枚 (番号一〜番号十二) 使用して該各伏せに図５に示すように各経糸を装着する。
【００２０】
図７〜図９に示すように、15は紋紙、16は経糸の作動を指示する紋紙15のパンチ穴を空ける位置であり、紋紙15には針使い列番号が (１番) 〜 (84番) まで設けられており、針使い列番号 (５番) 〜 (28番) 及び (30番) 〜 (35番) を三本交差把吊の紋針 (イ), (ロ), (ハ), (ニ),…に対応したジャガードの縦針を作動させるパンチ穴位置16に使用し、針使い列番号 (36番) 〜 (50番) を六本把吊の紋針 (Ａ), (Ｂ),…に対応したジャガードの縦針を作動させるパンチ穴位置16に使用し、針使い列番号 (52番) 〜 (55番) 及び (57番) 〜 (82番) を紋フルエ針 (い), (ろ), (は), (に),…に対応したジャガードの縦針を作動させるパンチ穴位置16に使用する。なお、パンチ穴位置16に記載された (ヒ) は杼箱交換針に対応したジャガードの縦針を作動させるパンチ穴位置16、１番目の (た) 〜４番目の (た) は経糸弛め装置針１番〜４番に対応したジャガードの縦針を作動させるパンチ穴位置16、 (同) は地緯糸と箔緯糸の同口コワ経糸の針に対応したジャガードの縦針を作動させるパンチ穴位置16、１番目の (耳) 〜４番目の (耳) は耳経糸の針１番〜４番に対応したジャガードの縦針を作動させるパンチ穴位置16、 (地) は地緯糸のコワ針に対応したジャガードの縦針を作動させるパンチ穴位置16、 (箔) は箔緯糸のコワ針に対応したジャガードの縦針を作動させるパンチ穴位置16、 (１) 〜 (18) は棒刃 (番号１) 〜 (番号18) の針に対応したジャガードの縦針を作動させるパンチ穴位置16、 (一) 〜 (十二) は伏せ (番号一) 〜 (番号十二) の針に対応したジャガードの縦針を作動させるパンチ穴位置16、 (ス) は織機の運転を停止させる針に対応したジャガードの縦針を作動させるパンチ穴位置16、 (△) は経糸の巻き取りを停止させる針に対応したジャガードの縦針を作動させるパンチ穴位置16、一番目の (助) はフルエ経糸 (経糸)10f,10rの運動を助ける針に対応したジャガードの縦針を作動させるパンチ穴位置16、２番目の (助) はフルエ経糸 (経糸)10l,10xの運動を助ける針に対応したジャガードの縦針を作動させるパンチ穴位置16である。
【００２１】
図１０に示す17は縦絽組織７の紋意匠図であり、同図においては、紋意匠図17の紋図口一本目が三本交差把吊の紋針 (イ), (ロ), (ハ), (ニ),…360 本の内の紋針 (イ) ， (ロ) に対応していると共に、紋フルエ針 (い), (ろ), (は), (に),…360 本の内の紋フルエ針 (い) に対応し、紋図口二本目が三本交差把吊の紋針 (イ), (ロ), (ハ), (ニ),…360 本の内の紋針 (ハ) ， (ニ) に対応していると共に、紋フルエ針 (い), (ろ), (は), (に),…360 本の内の紋フルエ針 (は) に対応し、以後の紋図口においても同様のパターンで対応している。即ち、紋フルエ針 (ろ), (に) は作動させないので、紋図口は180 本となっている。
【００２２】
紋意匠図17に基づき、紋図口一本目の一越目の図柄の状態により、針使い列番号５番における最初の (イ) 及び (ロ) のパンチ穴位置16では、「 (イ) 及び (ロ) のパンチ穴位置16に穴を空けない」、「 (イ) のパンチ穴位置16のみ穴を空ける」、「 (ロ) のパンチ穴位置16のみ穴を空ける」及び「 (イ) 及び (ロ) のパンチ穴位置16に穴を空ける」の組合せから選択して紋針 (イ) 及び (ロ) に指示を与えるパンチ穴を形成すると共に、針使い列番号52番における最初の (い) のパンチ穴位置16では、「 (い) のパンチ穴位置16に穴を空けない」及び「 (い) のパンチ穴位置16に穴を空ける」のいずれかを選択して紋フルエ針 (い) に指示を与えるパンチ穴を形成する。次に、紋図口二本目の一越目の図柄の状態により、針使い列番号５番における最初の (ハ) 及び (ニ) のパンチ穴位置16では、「 (ハ) 及び (ニ) のパンチ穴位置16に穴を空けない」、「 (ハ) のパンチ穴位置16のみ穴を空ける」、「 (ニ) のパンチ穴位置16のみ穴を空ける」及び「 (ハ) 及び (ニ) のパンチ穴位置16に穴を空ける」の組合せから選択して紋針 (ハ) 及び (ニ) に指示を与えるパンチ穴を形成すると共に、針使い列番号52番における最初の (は) のパンチ穴位置16では、「 (は) のパンチ穴位置16に穴を空けない」及び「 (は) のパンチ穴位置16に穴を空ける」のいずれかを選択して紋フルエ針 (は) に指示を与えるパンチ穴を形成する。以後、同様にして紋意匠図17の図柄に基づきパンチ穴を形成する。
【００２３】
また、図１１に示す18は横絽組織８，８’の紋意匠図であり、同図においては、紋意匠図18の紋図口一本目が三本交差把吊の紋針 (イ), (ロ), (ハ), (ニ),…360 本の内の紋針 (イ), (ロ) に対応していると共に、紋フルエ針 (い), (ろ), (は), (に),…360 本の内の紋フルエ針 (い) に対応し、紋図口二本目が六本把吊の紋針 (Ａ), (Ｂ),…180 本の内の紋針 (Ａ) に対応していると共に、紋フルエ針 (い), (ろ), (は), (に),…360 本の内の紋フルエ針 (ろ) に対応し、紋図口三本目が三本交差把吊の紋針 (イ), (ロ), (ハ), (ニ),…360 本の内の紋針 (ハ), (ニ) に対応していると共に、紋フルエ針 (い), (ろ), (は), (に),…360 本の内の紋フルエ針 (は) に対応し、紋図口四本目が六本把吊の紋針 (Ａ), (Ｂ),…180 本の内の紋針 (Ｂ) に対応していると共に、紋フルエ針 (い), (ろ), (は), (に),…360 本の内の紋フルエ針 (に) に対応し、以後の紋図口においても同様のパターンで対応して紋図口は360 本となっている。紋意匠図18においても、同様に、該紋意匠図18の図柄に基づき紋紙15にパンチ穴を形成する。
【００２４】
これにより、前記太鼓部４における縦絽組織７は、経糸を６本飛びに使用して、即ち、筬一羽に通した経糸10a 〜10f の６本を使用し、筬二羽に通した次の経糸10g 〜10l の６本は使用せず、筬三羽に通した次の経糸10m 〜10r の６本を使用し、筬四羽に通した次の経糸10s 〜10x の６本は使用せずに、以後の経糸についても同様にして緯糸11にて、例えば、図３に示す平織りに織成される。
【００２５】
そして、使用されなかった経糸10g 〜10l,10s 〜10x,…は帯１を織り上げた後、図２に示すように、第一腹部5aの手前にて切断する。
【００２６】
従って、縦絽組織７と横絽組織８との境界においては経糸10g 〜10l,10s 〜10x,…の切断端片９…が形成され、縦絽目位置14に縦方向に走る絽目7aが明確に現れる。なお、縦絽組織７において使用する経糸10a 〜10f,10m 〜20r,…と使用しない経糸10g 〜10l,10s 〜10x,…とは織成による消費量が異なるので、別々の千切（図示せず。）に製経しておけばよい。
【００２７】
前記腹部5a，5bにおける横絽組織８，８’は、図４及び図５に示すように、常法に従って全ての経糸10a …と、締緯糸19、箔緯糸20及び地緯糸（緯糸）11とを使用し、６の倍数番目の経糸、即ち、経糸10f,10l,10r,10x,…をフルエ経糸として該フルエ経糸と締緯糸19とにより横絽目を形成した、例えば、締緯糸一越，地緯糸三越，箔緯糸三越の三越風通横絽組織に織成すれば、締緯糸19が通された横絽目位置21に横方向に走る絽目8aが形成される。
【００２８】
従って、縦絽組織７に織成された折り返し部２、たれ先部３及び太鼓部４と、横絽組織に織成された腹部5a，5b及び手先部６とからなる帯１を着用すれば、図１２に示すように、太鼓部４の縦絽の絽目方向と腹部5a,5b の横絽の絽目方向とが同一方向となる。
【００２９】
なお、縦絽組織７を織成する際には、全ての経糸の半分の経糸10g 〜10l,10s 〜10x,…は使用しないので、製織中において縦絽織物の下面に這わしておいても、縦絽織物の上面に取り出しておいてもよい。また、経糸10a 〜10f,10m 〜10r,…と経糸10g 〜10l,10s 〜10x,…との糸の本数、太さ、織筬間隔及び地組織を変更することにより各種の帯を製織することができる。
【００３０】
また、図６に示す三本交差把吊と六本把吊との組合せにより、紋針数の制約が緩和されるので、三本交差把吊紋針 (イ), (ロ) と紋フルエ針 (い) と棒刃 (番号11) との作用により、経糸10f を経糸10a 〜10e と絡ませ、三本交差把吊紋針 (ハ), (ニ) と紋フルエ針 (は) と棒刃 (番号12) との作用により、経糸10r を経糸10m 〜10q と絡ませ、適宜に経糸を引き上げ、綟り・紗織組織を織成したり、経糸10a 〜10f,10m 〜10r を使用して畦地の縦絽地組織とは異なる縦絽変り地組織を織成してもよい。
【００３１】
また、横絽組織８を織成する際には、全ての経糸を使用し、三本交差把吊紋針 (イ), (ロ), (ハ), (ニ) と六本把吊紋針 (Ａ), (Ｂ) と棒刃 (番号１) 〜 (番号18) と紋フルエ針 (い), (ろ), (は), (に) と12枚の伏せとを適宜作動させて模様を有する組織を織成すればよい。
【００３２】
また、縦絽組織７及び横絽組織８において、縫取り緯糸を使用して伏せを作動させて縫取り緯糸の表面を経糸で荒く押さえたり或いは細かく押さえたり、また、伏せを作動させずに組織の表面に縫取り緯糸を浮かすことにより、変化のある模様を織成することができ、縫取り緯糸に細糸、太糸、金糸、銀糸及び箔糸を用いることにより、一層変化に富んだ模様を織成することができる。
【００３３】
さらに、従来では一完全返し中、棒刃一枚に経糸１本を装着しているが、伏せ枚数分の幅と紋フルエ針分の幅とこれらの作動に必要な幅分とを合わせた幅の綜絖前後幅が必要であるから、棒刃枚数が多くなれば、綜絖の前後の幅が長くなって製織不可能となるが、本実施の形態では、棒刃の枚数を少なくするために、経糸の一完全返し24本中、偶数間の筬の羽に通している経糸10g 〜10l,10s 〜10x の各同じ番目の経糸、即ち、経糸10g 及び10s 、経糸10h 及び10t 、経糸10i 及び10u 、経糸10j 及び10v 、経糸10k 及び10w 、経糸10l 及び10x の各２本を棒刃各一枚に装着したから、棒刃枚数が少なくてすむので、綜絖幅を狭くすることができる。
【００３４】
また、綜絖の通糸株をジャガードの縦針に吊る順序を経糸順とせず、三本交差把吊の紋針 (イ), (ロ), (ハ), (ニ),…に対応したジャガードの縦針を作動させるパンチ穴位置16を紋紙15の針使い列番号 (５番) 〜 (28番) 及び (30番) 〜 (35番) に設け、六本把吊の紋針 (Ａ), (Ｂ),…に対応したジャガードの縦針を作動させるパンチ穴位置16を紋紙15の針使い列番号 (36番) 〜 (50番) に設け、紋フルエ針 (い), (ろ), (は), (に),…に対応したジャガードの縦針を作動させるパンチ穴位置16を紋紙15の針使い列番号 (52番) 〜 (55番) 及び (57番) 〜 (82番) に設けて別枠位置に形成したから、綜絖装置の製作が容易となり、通糸株をジャガードの縦針に整然と順序良く吊ることができ、製織時の経糸の捌きが良くなるので、縦絽組織７と横絽組織８，８’とを同一織物に容易に織成することができる。なお、パンチ穴はコンピュータ処理によれば、容易に形成することができる。
【００３５】
また、紋フルエ針を作動させる際には、経糸の開口時に該経糸に負荷が掛かるが、経糸弛め装置を取り付ければ、経糸の開口が容易になる。
【００３６】
本実施の形態によれば、縦絽組織７の織成において使用しなかった経糸10g 〜10l,10s 〜10x,…を横絽組織８の手前にて切断しているので、縦方向に走る絽目7aを縦絽目位置14に明確に現わすことができる。また、縦絽組織７を織成する際には、奇数間の筬羽に通された経糸10a 〜10f,10m 〜10r,…を使用し、横絽組織８，８’を織成する際には、全部の筬羽間に通された経糸10a,…を使用し、経糸の引き上げ，引き下げ，綟り動作を筬羽奇数間の経糸と筬羽偶数間の経糸とを個々に作動させる図６に示す織物設計図により実施しているので、縦絽織物内に各種紗織、各種変り地組織、縫取り緯糸入り織等による複雑な変化のある模様（図柄）を構成することができる。
【００３７】
実施の形態２．
【００３８】
本実施の形態は前記実施の形態１における縦絽組織の織成の際に使用しない経糸10g 〜10l,10s 〜10x,…を引き上げて上面に取り出した状態で織り上げ、該経糸10g 〜10l,10s 〜10x,…を切断せずに使用して縦絽組織７の裏側に裏地を織成して二重織りの太鼓部４となっている帯であり、図１３は縦絽組織に織成された太鼓部織組織を拡大して模型的に示す二重織りの裏面組織の平面図であり、図１〜図１１と同一符号は同一又は相当部分を示し、同図において、22は経糸10g 〜10l,10s 〜10x,…を使用して裏地用緯糸23にて織成した裏地である。
【００３９】
本実施の形態においては、縦絽組織７で使用しなかった経糸10g 〜10l,10s 〜10x,…を用いて縦絽組織７の裏側に裏地用緯糸23を使って組織を構成したので、地緯糸11と異なる色の裏地用緯糸23や箔緯糸等を使用すれば、縦絽組織７の縦絽目7aから裏地模様が見える太鼓部４を構成することができる。
【００４０】
実施の形態３．
【００４１】
図１４は縦絽組織に織成された太鼓部織組織を拡大して模型的に示す裏面組織の平面図、図１５は横絽組織に織成された腹部織組織を拡大して模型的に示す裏面組織の平面図であり、これらの図において、図１〜図１１と同一符号は同一又は相当部分を示し、本実施の形態は前記実施の形態１の変形例である。
【００４２】
変形例１：図１４に示す縦絽組織７の地組織に織成された太鼓部４と図１５に示す横絽組織８に織成された第一腹部5aとを有する帯１であり、太鼓部４は経糸を６本飛びに使用して経糸10a 〜10f,10m 〜20r,…と地緯糸（緯糸）11により一越二越畦地組織に織成されて模様が形成されている。使用しなかった６本飛びの経糸10g 〜10l,10s 〜10x,…は縦絽組織７と横絽組織８との境界において切断され、絽目7aが縦絽目位置14にて縦方向（図１４において上下方向）に形成される。また、第一腹部5aは全ての経糸10a,…と締緯糸19と箔緯糸20と地緯糸11とを使用し、６の倍数番目の経糸、即ち、経糸10f,10l,10r,10x,…をフルエ経糸として該フルエ経糸と締緯糸19とにより、横絽目位置21にて横方向（図１５において左右方向）に横絽目8aが形成された横絽箔緯出し組織が織成されている。
【００４３】
実施の形態４．
【００４４】
図１６及び図１７は縦絽組織を拡大して模型的に示す裏面組織の平面図、図１８は縦絽組織に織成された帯の部位を拡大して模型的に示す表面組織の平面図、図１９は横絽組織に織成された帯の部位を拡大して模型的に示す表面組織の平面図であり、これらの図において、図１〜図１１と同一符号は同一又は相当部分を示し、本実施の形態は前記実施の形態１の変形例である。
【００４５】
変形例２：図１６に示す縦絽組織７は経糸10a 〜10e,10m 〜20q,…とフルエ経糸10f,10r …と地緯糸11とにより、一越五越紗地に織成されている。
【００４６】
変形例３：図１７に示す縦絽組織７は経糸10a 〜10e,10m 〜20q,…とフルエ経糸10f,10r …と地緯糸11とにより、変り二越紗地に織成されている。
【００４７】
前記変形例２における一越五越紗地の縦絽組織７により帯１の太鼓部４を織成すれば、第一腹部5aを常法により横絽組織８に織成すればよく、前記変形例３における変り二越紗地の縦絽組織７により帯１の第一腹部5aを織成すれば、太鼓部４を常法により横絽組織８に織成すればよい。
【００４８】
変形例４：図１８及び図１９において、24は縦絽組織７に織成された帯１の部位、25は横絽組織８に織成された帯１の部位、26は縫取り緯糸であり、帯１の部位24は縫取り緯糸26を使用して三越紗地に織られた縫組織の模様を有する縦絽組織７からなり、帯１の部位25は縫取り緯糸26を使用して縫取り緯糸入り組織に織られた縫組織の模様を有する横絽組織８からなる。
【００４９】
本変形例では、帯１の部位24を太鼓部４とすれば、帯１の部位25を第一腹部5aとすればよい。
【００５０】
【実施例】
本実施例を図１〜図１１及び図１８，図１９を参照して説明する。
【００５１】
経糸として、生糸28中２本合わせ糸を撚って２本合わせにした第一経糸1080本と、生糸21中４本合わせの第二経糸1080本とを使用し、縦絽組織７では第一経糸900 本を経糸10a 〜10e, 10m〜10q,…に、第一経糸180 本をフルエ経糸10f,10r,…に用いた。また、横絽組織８，８’では第一経糸に加えて第二経糸900 本を経糸10g 〜10k, 10s〜10w,…に、第二経糸180 本をフルエ経糸10l,10x,…に用いた。
【００５２】
緯糸として、縦絽組織７では生糸28中２本合わせ糸を撚って２本合わせにした第一緯糸を地緯糸11に用い、箔糸を縫取り緯糸26に用いた。また、横絽組織８では縫取り緯糸26に加えて絹紡糸120 中２本合わせ糸を撚って２本合わせにした第二緯糸を地緯糸11に用い、生糸28中２本合わせを撚った第三緯糸を締緯糸19に用い、さらに、平箔を箔緯糸20に用いた。
【００５３】
そして、ジャガード900 口を使用して前記経糸を図６に示す織物設計図に従って装着し、紋紙15に紋意匠図17に表現された図柄を紗組織と縫組織とにより現すために、パンチ穴を形成した。
【００５４】
前記経糸10a 〜10e, 10m〜10q,…、前記フルエ経糸10f,10r,…、前記第一緯糸の地緯糸11及び箔糸の縫取り緯糸26により、図１８に示す三越紗地に縫組織の模様を形成した縦絽組織７からなる太鼓部４の部位24を織成した。
【００５５】
また、前記経糸10a 〜10e, 10g〜10k, 10m〜10q, 10s〜10w,…、前記フルエ経糸10f,10l,10r,10x,…、前記第二緯糸の地緯糸11、前記第三緯糸の締緯糸19、平箔の箔緯糸20及び前記縫取り緯糸26により、図１９に示す縫取り緯糸入り縫組織の模様を形成した横絽組織８からなる第一腹部5aの部位25を織成した。
【００５６】
そして、縦絽組織７の織成において使用しなかった経糸10g 〜10k, 10s〜10w,…及びフルエ経糸10r,10x,…は横絽組織８の手前にて切断した。
【００５７】
縦絽組織７からなる太鼓部４の部位24では縦方向（図１８において上下方向）に走る縦絽目7aが形成され、横絽組織８からなる第一腹部5aの部位25では横方向（図１９において左右方向）に走る横絽目8aが形成された帯１を得た。
【００５８】
当該帯１を着用したところ、図１２に示すように、太鼓部４における絽目と第一腹部5aにおける絽目が同一方向となっていた。
【００５９】
【発明の効果】
本発明によれば、縦絽組織を織成する場合には経糸を所望本数飛びに使用すると共に横絽組織を織成する場合には全部の経糸を使用して一つの帯を製織したから、帯を着用した際に太鼓部における絽組織の絽目方向と腹部における絽組織の絽目方向とが同一方向になる帯を提供することができる。
【００６０】
従って、本発明の産業上利用性は非常に高いといえる。
【図面の簡単な説明】
【図１】本発明の実施の形態に係る帯の平面図である。
【図２】図１に図示した太鼓部と腹部との境界近傍の組織を示す部分拡大平面図である。
【図３】図２に図示した太鼓部の製織法を説明する図である。
【図４】図２に図示した横絽組織に織成された第一腹部織組織を拡大して模型的に示す裏面組織の平面図である。
【図５】図２に図示した横絽組織に織成された第二腹部織組織を拡大して模型的に示す裏面組織の平面図である。
【図６】本発明の実施の形態に係る帯の織物設計図である。
【図７】本発明の実施の形態に係る帯を製織する際に使用する紋紙の平面図である。
【図８】本発明の実施の形態に係る帯を製織する際に使用する紋紙の平面図である。
【図９】本発明の実施の形態に係る帯を製織する際に使用する紋紙の平面図である。
【図１０】縦絽組織の紋意匠図に基づき経糸の作動を指示する紋紙のパンチ穴を形成する説明図である。
【図１１】横絽組織の紋意匠図に基づき経糸の作動を指示する紋紙のパンチ穴を形成する説明図である。
【図１２】図１に図示した帯の着用時における外観を示す一部省略斜視図である。
【図１３】縦絽組織に織成された太鼓部織組織を拡大して模型的に示す二重織りの裏面組織の平面図である。
【図１４】縦絽組織に織成された太鼓部織組織を拡大して模型的に示す裏面組織の平面図である。
【図１５】横絽組織に織成された腹部織組織を拡大して模型的に示す裏面組織の平面図である。
【図１６】縦絽組織を拡大して模型的に示す裏面組織の平面図である。
【図１７】縦絽組織を拡大して模型的に示す裏面組織の平面図である。
【図１８】縦絽組織に織成された帯の部位を拡大して模型的に示す表面組織の平面図である。
【図１９】横絽組織に織成された帯の部位を拡大して模型的に示す表面組織の平面図である。
【符号の説明】
１  帯
２  折り返し部
３  たれ先部
４  太鼓部
５ａ  第一腹部
５ｂ  第二腹部
６  手先部
７  縦絽組織
７ａ  縦絽目
８，８’  横絽組織
８ａ    横絽目
９  切断端片
１０ａ〜１０ｘ  経糸
１１  緯糸（地緯糸）
１２  筬
１３  平織組織
１４  縦絽目位置
１５  紋紙
１６  パンチ穴位置
１７，１８  紋意匠図
１９  締緯糸
２０  箔緯糸
２１  横絽目位置
２２  裏地
２３  裏地用緯糸
２４，２５  帯の部位
２６  縫取り緯糸
（イ）〜（ニ）  紋針
（Ａ），（Ｂ）  紋針
（番号１）〜（番号１８）  棒刃
（い）〜（に）  紋フルエ針
Ａ  帯締め
Ｂ  帯上げ
【図１】
0003637488.tif 000002
【図２】
0003637488.tif 000003
【図３】
0003637488.tif 000004
【図４】
0003637488.tif 000005
【図５】
0003637488.tif 000006
【図６】
0003637488.tif 000007
【図７】
0003637488.tif 000008
【図８】
0003637488.tif 000009
【図９】
0003637488.tif 000010
【図１０】
0003637488.tif 000011
【図１１】
0003637488.tif 000012
【図１２】
0003637488.tif 000013
【図１３】
0003637488.tif 000014
【図１４】
0003637488.tif 000015
【図１５】
0003637488.tif 000016
【図１６】
0003637488.tif 000017
【図１７】
0003637488.tif 000018
【図１８】
0003637488.tif 000019
【図１９】
0003637488.tif 000020